(57)【特許請求の範囲】
【請求項１】
仮設足場に用いられ、踏面が略水平方向に沿うようにして配設される複数の踏板部材を有する仮設足場用階段であって、
昇降側に位置する侵入者を検出するための検出手段と、
前記検出手段を前詑踏板部材に取り付けるための取付部材とを備え、
前記取付部材は、
前記昇降側とは反対の前記踏板部材の奥行き側に配設されており、
一端にフランジ片を有する矩形状の本体板からなるとともに、
前記踏板部材の奥行き側端部に添装される前記フランジ片と、下方から締め込み可能な締結部材とによって前記踏板部材を上下方向に挟み込むことにより、前記踏板部材に取り付けられることを特徴とする、仮設足場用階段。
【請求項２】
前記取付部材は、
前記複数の踏板部材のうち下方に配設されるいずれかの踏板部材に取り付けられる、請求項１に記載の仮設足場用階段。
【請求項３】
前記踏板部材は、
アルミニウム合金製でありかつ少なくとも前記奥行き側端部がボックス状に形成されている、請求項１または２に記載の仮設足場用階段。
【請求項４】
前記検出手段は、
前記侵入者の存在を電磁波によって検出するパッシブセンサである、請求項１ないし３のいずれかに記載の仮設足場用階段。
【請求項５】
請求項１ないし４のいずれかに記載の仮設足場用階段と、
前記仮設足場用階段に備えられる検出手段から出力される検出信号を受信する受信手段と、
前記受信手段が前記検出信号を受信することに基づいて外部に報知する報知手段と、を備えることを特徴とする、仮設足場用防犯システム。
【発明の詳細な説明】
【技術分野】
【０００１】  本発明は、例えば建築現場等で組み立てられる仮設足場に設置され、不法侵入者の侵入を検出するための仮設足場用階段に関する。また、この仮設足場用階段を用いた仮設足場用防犯システムに関する。
【背景技術】
【０００２】  従来、マンション等の増改築や改修工事（塗装、タイル貼り、防水補修又はひび補修等）が実施される建築現場においては、建築物の周囲に現場作業者が高所作業を行うための仮設足場が組み立てられる。仮設足場の周囲には、例えば資材の落下防止や目隠しの目的で工事用シートが取り付けられる。工事用シートは、作業時に発生する粉塵や騒音等を遮断するためにも用いられる。【０００３】  仮設足場に工事用シートが取り付けられると、それによって内部（建築物）の様子が外部から見え難くなる。そのため、現場作業者が工事現場にいなくなる夜間や工事作業の昼間の休憩中において、不法侵入者が仮設足場を利用してマンション等の建築物に侵入しやすくなる。【０００４】  そこで、例えば特許文献１には、仮設足場の水平材や支柱に例えば赤外線センサ等の侵入検出機器を設置し、この侵入検出機器によって不法侵入者の侵入を検出する防犯システムが提案されている。
【先行技術文献】
【特許文献】
【０００５】
【特許文献１】特開２０１０−３９５２９号公報
【発明の概要】
【発明が解決しようとする課題】
【０００６】  しかしながら、上記侵入検出機器は、水平材や支柱等に取り付けられるので、不法侵入者に発見されやすいといった問題点があった。そのため、不法侵入者が侵入検出機器を避けて通ったり、不法侵入者によって侵入検出機器が壊されたりすることがあった。【０００７】  本発明は、上記した事情のもとで考え出されたものであって、不法侵入者の侵入を検出するための侵入検出機器が不法侵入者に容易に気づかれ難い仮設足場用階段を提供することを、その課題とする。また、この仮設足場用階段を用いた仮設足場用防犯システムを提供することを、その課題とする。
【課題を解決するための手段】
【０００８】  本発明の第１の側面によって提供される仮設足場用階段は、仮設足場に用いられ、踏面が略水平方向に沿うようにして配設される複数の踏板部材を有する仮設足場用階段であって、昇降側に位置する侵入者を検出するための検出手段と、前記検出手段を前記踏板部材に取り付けるための取付部材とを備え、前記取付部材は、前記昇降側とは反対の前記踏板部材の奥行き側に配設されており、一端にフランジ片を有する矩形状の本体板からなるとともに、前記踏板部材の奥行き側端部に添装される前記フランジ片と、下方から締め込み可能な締結部材とによって前記踏板部材を上下方向に挟み込むことにより、前記踏板部材に取り付けられることを特徴としている。【００１０】  本発明の仮設足場用階段において、前記取付部材は、前記複数の踏板部材のうち下方に配設されるいずれかの踏板部材に取り付けられるとよい。【００１１】  本発明の仮設足場用階段において、前記踏板部材は、アルミニウム合金製でありかつ少なくとも前記奥行き側端部がボックス状に形成されているとよい。【００１２】  本発明の仮設足場用階段において、前記検出手段は、前記侵入者の存在を電磁波によって検出するパッシブセンサであるとよい。【００１３】  本発明の第２の側面によって提供される仮設足場用防犯システムは、本発明の第１の側面によって提供される仮設足場用階段と、前記検出手段から出力される検出信号を受信する受信手段と、前記受信手段が前記検出信号を受信することに基づいて外部に報知する報知手段と、を備えることを特徴としている。
【発明の効果】
【００１４】  本発明の仮設足場用階段によると、検出手段（例えば検出センサ）が取付部材によって踏板部材の奥行き側に取り付けられるので、仮設足場へ侵入する不法侵入者に検出手段が容易に気づかれ難くなり、検出手段が不法侵入者に避けて通られたり壊されたりすることを抑制することができる。また、現場作業で用いられる例えば生コン、モルタル及び塗料等が飛散しても、検出手段に付着し難くなる。したがって、検出手段自体の動作不良を引き起こす可能性を少なくすることができる。【００１５】  また、本発明の仮設足場用防犯システムによると、検出手段からの検出信号は受信手段に送られ、報知手段によって外部に報知される。そのため、例えば報知手段が警報器の場合、警報に驚いた不法侵入者を仮設足場から退散させることができ、仮設足場やマンション等への不法侵入者の侵入を防止することができる。
【図面の簡単な説明】
【００１６】
【図１】本発明に係る仮設足場用階段を示す図であり、（ａ）は正面図、（ｂ）は側面図である。
【図２】図１に示す検出センサの正面図である。
【図３】図２に示すＡ−Ａ矢視図である。
【図４】踏板部材の分解斜視図である。
【図５】取付部材の踏板部材に対する取付状態を説明するための図である。
【図６】検出センサの検出領域を説明するための図であり、検出センサが仮設足場の一層目に設置された場合を示す。
【図７】検出センサの検出領域を説明するための図であり、検出センサが仮設足場の二層目に設置された場合を示す。
【図８】仮設足場用防犯システムの構成図である。
【図９】仮設足場用防犯システムの他の構成図である。
【図１０】仮設足場用防犯システムの他の構成図である。
【発明を実施するための形態】
【００１７】  以下、本発明の実施の形態につき、図面を参照して具体的に説明する。
【００１８】  図１は、本発明に係る仮設足場用階段を示す図であり、（ａ）は正面図、（ｂ）は側面図である。図２は、図１に示す検出センサの正面図である。図３は、図２に示すＡ−Ａ矢視図である。
【００１９】  本実施形態に係る仮設足場用階段１（以下、単に「階段１」という。）は、例えば建築現場等の仮設足場に設置され、現場作業者が仮設足場の上層と下層との間を昇降するために用いられる。仮設足場は、図示しない複数の支柱とそれらに係止する複数の水平材Ｈを備え、隣り合う水平材Ｈ間に例えば床付き布枠Ｂが掛止される。現場作業者は、この床付き布枠Ｂ上を歩行して仮設足場内を移動することができる。
【００２０】  階段１は、図１（ｂ）に示すように、地面Ｇと仮設足場の二層目に配設された床付き布枠Ｂとの間に配置される。あるいは、図示していないが層ごとに配設された床付き布枠Ｂ同士間に配置される。
【００２１】  階段１は、例えばアルミニウム合金製とされ、複数の踏板部材２と、これらの踏板部材２を左右から支持するための一対の支持部材３と、支持部材３の最下端部同士を連結するための連結部材４とによって構成される。複数の踏板部材２は、その踏面が略水平方向に沿うようにして等間隔に並列配置されている。
【００２２】  踏板部材２は平板状とされ、より詳細には、図３及び図４に示すように、長尺状の平板５と、その長手方向に沿う奥行き側（図３では左側）端部に形成されるボックス体６と、その長手方向に沿う手前側（図３では右側）端部に形成されるボックス体７と、その長手方向に沿う中央部に形成されるボックス体８と、その短手方向に沿う両端部に設けられる断面略コ字状のはり材９，１０（図４参照）とを有している。上記ボックス体６〜８は、それぞれ中空構造とされ、踏板部材２を補強する目的で設けられている。
【００２３】  複数の踏板部材２のうち、いずれかの踏板部材２（例えば下から２番目の踏板部材２）には、検出センサ１１が設けられている。検出センサ１１は、取付部材１２によって横付けされて踏板部材２に取り付けられる。
【００２４】  取付部材１２は、側面視で略Ｅ字状に形成され、略矩形状の平板状に形成された本体板１３と、本体板１３の上端から水平方向に延びた上部フランジ片１４と、本体板１３の下端から水平方向に延びた下部フランジ片１５と、本体板１３の中央やや上部から水平方向に延びたボルト支持片１６とによって構成される。上部フランジ片１４は、踏板部材２に添装するためのものである。下部フランジ片１５は、検出センサ１１を保護するためのものである。
【００２５】  ボルト支持片１６には、両端部近傍にそれを貫通するように２つの開口（図略）が形成され、これらの開口に一致する上面の位置にナット１７がそれぞれ溶接されている。ボルト支持片１６の開口及びナット１７には、ボルト１８が下方から締結可能とされている。
【００２６】  取付部材１２は、図２及び図３に示すように、踏板部材２の奥行き側端部に上部フランジ片１４を添装し、上記２つのボルト１８を下方から締め付けることにより、踏板部材２のボックス体６を上部フランジ片１４とボルト１８とで挟み込むようにして踏板部材２に取り付けられる。
【００２７】  本実施形態では、図３に示すように、本体部１４の表面からナット１７の中心軸までの最短距離Ｌが上部フランジ片１４の短手方向の幅Ｗの約１／２に設定されている。この構成によれば、取付部材１２が上部フランジ片１４とボルト１８とによってボックス体６を挟み込む際、上部フランジ片１４の短手方向の幅Ｗにおいて十分な長さが確保されているので、取付部材１２が踏板部材２から外れ難くなっている。
【００２８】  検出センサ１１は、いわゆるパッシブセンサであって、例えば侵入者の移動によって生じる遠赤外線（電磁波）の変化に反応して不法侵入者の存在を検出するセンサである。検出センサ１１は、検出領域を定める検出角度が平面視で例えば約５度とされ、側面視で約７０度とされている。また、検出センサ１１は、その正面方向の検出距離が約７ｍとされている。なお、検出センサ１１は、その検出角度が若干程度、可変自在とされている。
【００２９】  検出センサ１１は、板状の本体１１ａとそれに取付自在とされたカバー１１ｂとによって構成されている。本体１１ａは、図示しないセンサ部を有している。カバー１１ｂは、半円筒状とされ例えばポリエチレン樹脂からなる。
【００３０】  検出センサ１１は、不法侵入者の存在を検出した場合にその検出信号を例えば４２６ＭＨｚ帯の電波にして図略のコントローラ２１（後述）に出力する機能を有する。なお、検出センサ１１は、不法侵入者の存在を検出するものであれば、上記したパッシブセンサに限るものではない。
【００３１】  上記構成によれば、不法侵入者が仮設足場に侵入し、検出センサ１１が取り付けられた階段１を昇降しようとすると、検出センサ１１が不法侵入者を検出する。これにより、検出センサ１１はオン状態となり、検出信号を外部のコントローラ２１（後述）に出力する。
【００３２】  この場合、検出センサ１１は、上記したように踏板部材２において昇降側と反対側の奥行き側といった、不法侵入者の目に入り難い箇所に取り付けられているため、不法侵入者に容易に気づかれ難くなっている。そのため、不法侵入者を適切に検出できるとともに、検出センサ１１が不法侵入者に避けて通られたり、壊されたりすることを抑制することができる。
【００３３】  また、検出センサ１１は、踏板部材２の奥行き側に取り付けられるため、現場作業者が建築材料や足場材等を運搬中に検出センサ１１にぶつける可能性が少なくなる。また、現場作業で用いられる、例えば生コン、モルタル及び塗料等の材料が飛散して付着することを抑制することができる。そのため、現場作業者が建築材料等をぶつけたり、あるいは生コン等の材料が検出センサ１１に付着して固化したりすることによって動作不良を引き起こす可能性を少なくでき、検出センサ１１を長期的に使用することができる。
【００３４】  また、本実施形態によれば、踏板部材２がアルミニウム合金製とされている。アルミニウム合金は、例えば鋼板に比べ軟性が高いため、図５に示すように、取付部材１２を踏板部材２に取り付ける際にボルト１８を比較的強めに締め込むようにすれば、踏板部材２のボックス体６の底部は、押し込まれるように撓んで変形する。したがって、取付部材１２を踏板部材２に、より強固に固定することができる。また、本実施形態によれば、ボックス状のボックス体６に対してボルト１８を締結するので、例えば板状に形成された踏板部材に比べて、ボルト１８の締め込み量を少ない量ですませることができ、作業性の向上を図ることができる。
【００３５】  検出センサ１１のカバー１１ｂはポリエチレン樹脂で形成されているため、例えば太陽光が照射されることによって表面が劣化するおそれがある。しかし、本実施形態によれば、検出センサ１１は踏板部材２の裏面側に配置されるため、雨にさらされたり太陽光が直接的に照射したりする可能性が少なくなり、検出センサ１１の劣化を抑制することができる。
【００３６】  検出センサ１１の踏板部材２における取付位置は、図６に示すように、仮設足場が一層のみの構成の場合、例えば下方に配置される踏板部材２（例えば下から２番目）が望ましい（横線部に検出領域を示す。）。取付部材１２が下方に配置されると、不法侵入者Ｍの視界に入り難くなり、階段１の近傍にいる不法侵入者Ｍを確実に検出することができる。
【００３７】  検出センサ１１の踏板部材２における取付位置は、図７に示すように、仮設足場が二層構成の場合、二層目の例えば下方に配置される踏板部材２（例えば下から２番目）が望ましい。すなわち、二層目に配された階段１の下方位置に検出センサ１１が配されると、検出センサ１１の検出領域が広範囲にわたることになり、二層目に昇っている不法侵入者Ｍを検出することができるとともに、一層目にいる不法侵入者Ｍをも検出することができる。したがって、階段１を昇降する不法侵入者Ｍを検出したい場合には、層ごとに検出センサ１１を設置する必要がなく、設置数を削減することができ、ひいては部品コストの低減化を図ることができる。
【００３８】  上記の階段１は、不法侵入者が仮設足場へ侵入するのを防止するための仮設足場用防犯システム（図８参照）に適用することができる。すなわち、仮設足場用防犯システムは、検出センサ１１、コントローラ２１及び携帯電話機２２によって構成される。
【００３９】  コントローラ２１は、検出センサ１１からの検出信号を受信すると携帯電話機２２にその旨を無線によって伝達するものである。なお、検出センサ１１とコントローラ２１との間には、検出センサ１１からの検出信号を中継してコントローラ２１に伝達するための中継機が必要に応じて設けられていてもよい。
【００４０】  上記構成によると、検出センサ１１は、上述したように不法侵入者を検出すると、検出信号を無線にしてコントローラ２１に出力する。コントローラ２１は、その検出信号を受信すると、その旨を携帯電話機２２に送信する。これにより、携帯電話機２２では、音声通話、メール又は呼び出し音等で不法侵入者が侵入したことが報知される。携帯電話機２２を携帯している者は、建築現場にいない場合であっても、仮設足場に不法侵入者が侵入したことを知ることができ、適切な処置を施すことができる。なお、携帯電話機２２に代えて、パソコン等であってもよい。
【００４１】  また、この場合、検出センサ１１は、検出信号を無線によって現場事務所側のコントローラ２１に伝達するので、有線で信号を伝達する場合に比べ例えばケーブルの引き回しが不要であり、低コスト化を図ることができる。なお、検出センサ１１は、センサ部と検出信号を無線にして出力する部分とが別途独立して設けられていてもよい。
【００４２】  図９は、仮設足場用防犯システムの他の構成を示す図である。図９に示すように、仮設足場側及び現場事務所側において不法侵入者が侵入したことを外部に警報するための警報機が設けられていてもよい。すなわち、仮設足場には足場側警報機２３が設けられ、現場事務所には事務所側警報機２４が設けられている。
【００４３】  この場合、コントローラ２１は、足場側警報機２３及び事務所側警報機２４を動作させるための機能を有する。すなわち、コントローラ２１は、検出センサ１１からの検出信号を受信すると、足場側警報機２３に対して動作信号を無線によって伝達するとともに、同じ現場事務所に設けられた事務所側警報機２４に対して動作信号を無線（又は有線）によって伝達する。
【００４４】  足場側警報機２３は、不法侵入者に警告したり不法侵入者を威嚇したりするためのものである。足場側警報機２３は、例えば図示しない信号受信部、音声出力部及び光出力部を有している。足場側警報機２３は、コントローラ２１からの動作信号を信号受信部で受信すると、音声出力部から警告音を発したり、光出力部から点滅光を発したりする。
【００４５】  なお、足場側警報機２３は、音声出力部及び光出力部のうちいずれか一方のみが設けられていてもよい。また、足場側警報機２３は、仮設足場の水平材や支柱に取り付けられていてもよいが、不法侵入者の目につき難い箇所、例えば検出センサ１１と同様に階段１の踏板部材２の奥行き側に配置されることがより望ましい。また、足場側警報機２３は、検出センサ１１が検出したことをコントローラ２１を介して受信するのではなく、検出センサ１１から直接的に検出信号を受信し、それに基づいて外部に報知するようにしてもよい。
【００４６】  事務所側警報機２４は、不法侵入者を検出した場合に現場事務所内にいる現場作業者に報知するためのものである。事務所側警報機２４は、足場側警報機２３と同様に、図示しない信号受信部、音声出力部及び光出力部を有している。事務所側警報機２４は、コントローラ２１からの動作信号を信号受信部で受信すると、音声出力部から警告音を発したり、光出力部から点滅光を発したりする。
【００４７】  この仮設足場用防犯システムによれば、仮設足場において検出センサ１１によって不法侵入者が侵入するのを検出すると、コントローラ２１にその旨を示す検出信号が伝達され、足場側警報機２３及び事務所側警報機２４において報知される。そのため、不法侵入者は足場側警報機２３による報知に驚きその場を退散する可能性が高い。したがって、それ以上の仮設足場への侵入やマンション等の建築物への侵入を抑制することができる。また、現場事務所において、事務所側警報機２４が報知することにより、現場事務所にいる作業員は、仮設足場に不法侵入者が侵入したことを確実に知ることができる。
【００４８】  なお、上記構成においては、足場側警報機２３及び事務所側警報機２４のうちいずれか一方のみが設けられていてもよい。
【００４９】  仮設足場用防犯システムは、上記構成に限らず、不法侵入者ではなく仮設現場で作業する現場作業者が、検出センサ１１が設けられた階段１に近づいた場合には、足場側警報機２３の報知を禁止する構成としてもよい。すなわち、例えば図１０に示すように、上述した図９に示す構成に加えて、現場作業者が常時携帯する携帯発信機２５と、携帯発信機２５からの発信信号を受信する受信機２６とを備えていてもよい。
【００５０】  現場作業者が、検出センサ１１が取り付けられた階段１に近づいた場合には、足場側警報機２３で報知する必要がない。そのため、現場作業者が携帯する携帯発信機２５から発信信号を発信させ、受信機２６でこの発信信号を受信した場合には、検出センサ１１にコントローラ２１へ出力する検出信号を禁止する禁止信号を送信する。これにより、携帯発信機２５を携帯する現場作業者が検出センサ１１によって検出されても足場側警報機２３は鳴動しないので、現場作業者は安心して作業を行うことができ、すなわち不法侵入者と現場作業者との区別を明確にすることができる。なお、受信機２６は、検出センサ１１と一体的に構成されていてもよい。
【００５１】  なお、本発明の範囲は上述した実施の形態に限定されるものではなく、発明の範囲を逸脱しない範囲で種々の変更を行うことができる。例えば上記実施形態では、踏板部材２がアルミニウム合金製とされたが、これに限るものではなく、例えば鋼板製であってもよい。また、上記階段１、踏板部材２、取付部材１２及び検出センサ１１等は、上記した実施形態の形状、数量及び位置関係等に限るものではない。
【符号の説明】
【００５２】  １    仮設足場用階段
２    踏板部材
３    支持部材
５    平板
６〜８    ボックス体
１１    検出センサ
１２    取付部材
１３    本体板
１４    上部フランジ片
１５    下部フランジ片
１６    ボルト支持片
１８    ボルト
２１    コントローラ
２２    携帯電話機
２３    足場側警報機
２４    事務所側警報機
【図１】
0005950446.tif 000002
【図２】
0005950446.tif 000003
【図３】
0005950446.tif 000004
【図４】
0005950446.tif 000005
【図５】
0005950446.tif 000006
【図６】
0005950446.tif 000007
【図７】
0005950446.tif 000008
【図８】
0005950446.tif 000009
【図９】
0005950446.tif 000010
【図１０】
0005950446.tif 000011